(57)【要約】【課題】電線の測距作業などを行う際の労力の軽減及び危険性の減少を図ること。【解決手段】ドラム架台１００は架台本体１と軸棒２を備える。架台本体１は、転動可能な起立状態のドラム２００を跨ぐように配置可能な門型フレーム１１と、門型フレーム１１の下端部に設けられたキャスター１２と、門型フレーム１１の上部に設置され、手動ハンドル１３aを備えるジャッキ１３と、昇降可能に門型フレーム１１に配設され、ジャッキ１３により昇降駆動される門型吊上げ部材１４とを有する。軸棒２は、ドラム２００の軸孔２０１に挿通可能で、軸棒２の両端部は門型吊上げ部材１４の両側部に設けられた支持孔１４cに挿通可能に構成される。【選択図】図４
2008120580.tif 000002
【特許請求の範囲】
【請求項１】
軸孔を有するドラムを吊り上げるドラム架台において、
架台本体であって、転動可能な起立状態のドラムを跨ぐように配置可能な門型フレームと、該門型フレームの下端部に設けられたキャスターと、前記門型フレームの上部に設置され、手動ハンドルを備えるジャッキと、昇降可能に前記門型フレームに配設され、前記ジャッキにより昇降駆動される門型吊上げ部材とを有する架台本体を備えるとともに、
前記ドラムの前記軸孔に挿通可能な軸棒であって、該軸棒の両端部が前記門型吊上げ部材の両側部に設けられた支持孔に挿通可能な軸棒を備える
ことを特徴とするドラム架台。
【請求項２】
前記支持孔は、上下方向に複数個設けられていることを特徴とする請求項１に記載のドラム架台。
【請求項３】
前記門型フレームの両側部に、それぞれ前記門型吊上げ部材の昇降動作を案内するガイド部材が設けられていることを特徴とする請求項１又は２に記載のドラム架台。
【請求項４】
前記各々のガイド部材は、一対の鉛直ロッドであり、該一対の鉛直ロッドにより鉛直方向のガイド溝が形成され、前記門型吊上げ部材の水平方向への移動が規制されることを特徴とする請求項３に記載のドラム架台。
【請求項５】
前記軸棒の一方の端面に形成されたねじ孔にねじ込まれる抜止めスクリューを備え、前記ねじ孔に前記抜止めスクリューをねじ込んだとき、前記軸棒の前記一方の端面と前記抜止めスクリューの頭部側との間に凹部が形成され、該凹部に前記鉛直ロッドのガイド溝側の一部が侵入した状態となり、前記軸棒の軸方向への移動が規制されることを特徴とする請求項４に記載のドラム架台。
【発明の詳細な説明】
【技術分野】
【０００１】
本発明は、電線ドラムなどドラムを吊上げるドラム架台に関する。
【背景技術】
【０００２】
従来、電線が巻かれたドラムから電線を引出し、測長しながら切断する作業においては、ターンテーブルの上にドラムを横に寝かし、ターンテーブルを回転させることによって電線がドラムから引き出されるようにしていた。
【０００３】
このため、重量物であるドラムをターンテーブルの上まで運搬し横に寝かす作業や、作業終了後、ドラムをターンテーブルの上で起立させ元の位置まで運搬する作業に、多大な労力を費やし、また、危険が伴っていた。
【０００４】
なお、本願に先立ち先行技術を調査したところ、特許文献１を見出した。
【特許文献１】特開２０００−１０３５４８公報
【発明の開示】
【発明が解決しようとする課題】
【０００５】
本発明は、上記の問題点を解決し、上記のような作業を行う際の労力の軽減及び危険性の減少を図ることができるドラム架台を提供することを目的とする。
【課題を解決するための手段】
【０００６】
本発明のドラム架台は、軸孔を有するドラムを吊上げるドラム架台において、架台本体であって、転動可能な起立状態のドラムを跨ぐように配置可能な門型フレームと、該門型フレームの下端部に設けられたキャスターと、前記門型フレームの上部に設置され、手動ハンドルを備えるジャッキと、昇降可能に前記門型フレームに配設され、前記ジャッキにより昇降駆動される門型吊上げ部材とを有する架台本体を備えるとともに、前記ドラムの前記軸孔に挿通可能な軸棒であって、該軸棒の両端部が前記門型吊上げ部材の両側部に設けられた支持孔に挿通可能な軸棒を備えることを特徴とする。
【０００７】
本発明のドラム架台において、ドラムを吊上げる作業の一例を説明すると、まず、起立状態のドラムを門型フレームが跨ぐように架台本体を移動させ、ハンドルを操作して門型吊上げ部材を昇降させ、門型吊上げ部材の支持孔がドラムの軸孔の延長線上に位置するようになったとき、ハンドル操作を終了する。次に、門型吊上げ部材の一方の側部の支持孔に軸棒の先端を挿通し、さらに、軸棒の先端をドラムの軸孔及び門型吊上げ部材の他方の側部の支持孔に順番に挿通する。次に、ハンドルを操作し門型吊上げ部材を上昇させる。この門型吊上げ部材の上昇に従いドラムが床面から上昇し吊上げられるようになる。その後、所定の作業場所までドラム架台を移動させる。所定の作業場所において、吊上げられたドラムは軸棒を回転軸として回転自在であるため、ドラムに巻かれた電線など巻線を引っ張ることによってドラムから電線など巻線を容易に引き出すことができる。
【０００８】
本発明によると、重量物であるドラムを横に寝かせる作業、起立させる作業などが不要となるため、労力の軽減及び危険性の減少を図ることができる。また、構成が簡素であり、コストの低減を図ることができる。
【０００９】
ここで、前記支持孔は、上下方向に複数個設けられている。支持孔を上下方向に複数個設けることにより、ドラムの軸孔の延長線上に支持孔を位置合せする作業が容易になる。
【００１０】
また、前記門型フレームの両側部に、それぞれ前記門型吊上げ部材の昇降動作を案内するガイド部材が設けられている。このガイド部材により、門型吊上げ部材の昇降動作の安定化を図ることができる。
【００１１】
また、前記各々のガイド部材は、一対の鉛直ロッドであり、該一対の鉛直ロッドにより鉛直方向のガイド溝が形成され、前記門型吊上げ部材の水平方向への移動が規制される。この門型吊上げ部材の水平方向への移動が規制されることにより、門型吊上げ部材を安定して昇降動作させることができる。
【００１２】
また、前記軸棒の一方の端面に形成されたねじ孔にねじ込まれる抜止めスクリューを備え、前記ねじ孔に前記抜止めスクリューをねじ込んだとき、前記軸棒の前記一方の端面と前記抜止めスクリューの頭部側との間に凹部が形成され、該凹部に前記鉛直ロッドのガイド溝側の一部が侵入した状態となり、前記軸棒の軸方向への移動が規制される。この軸棒の軸方向への移動が規制されることにより、門型吊上げ部材を安定して昇降動作させることができる。
【発明を実施するための最良の形態】
【００１３】
以下、本発明の実施形態を図面に基づいて説明する。
図１は、本発明の一実施形態に係るドラム架台の斜視図、図２は、同ドラム架台のジャッキ周辺の垂直断面図、図３は、同ドラム架台の軸棒付近の水平断面図、図４は、同ドラム架台の使用方法を説明するための斜視図、図５は、同ドラム架台の使用時の正面図、図６は、同ドラム架台の使用時の側面図をそれぞれ示す。
【００１４】
図１〜図６において、ドラム架台１００は、架台本体１と軸棒２と抜止めスクリュー３とから構成される。
【００１５】
架台本体１は、門型フレーム１１を備える。
【００１６】
門型フレーム１１は、平面視コ字状の基フレーム１１aを備える。基フレーム１１aの下面には、キャスター１２が４個配設されている。基フレーム１１aの上面には、側面視三角形状の上フレーム１１bが延設されている。上フレーム１１bの上部には、ジャッキ固定台１１cが設けられており、ジャッキ固定台１１cの上にジャッキ１３が設置されている。ジャッキ１３は、手動ハンドル１３aを備え、手動ハンドル１３aは、上フレーム１１bの貫通孔１１d（図２）を経て上フレーム１１bの外側に配されている。ジャッキ１３の昇降ロッド１３bの上に門型吊上げ部材１４が載置されている。
【００１７】
門型吊上げ部材１４は、水平バー部１４aと、水平バー部１４aの両端から下方へ垂直に延設された一対の垂直バー部（側部）１４b、１４bとで構成される。水平バー部１４aの中央部がジャッキ１３の昇降ロッド１３bによって支持されている。一対の垂直バー部１４b、１４bは、上フレーム１１bの上端開口部１１eに挿通されている。各々の垂直バー部１４bには、上下方向に複数の支持孔１４cが形成されている。各支持孔１４cは、左右方向に貫通している。一方の垂直バー部１４bの支持孔１４cと、他方の垂直バー部１４bの支持孔１４cは、同一の高さ位置に形成されている。
【００１８】
上フレーム１１bの一対の側部には、それぞれガイド部材１５が設けられている。各ガイド部材１５は、門型吊上げ部材１４の一対の垂直バー部１４b、１４bの外側に、垂直バー部１４bと対向して配されている。各ガイド部材１５は、一対の鉛直ロッド１５a、１５aにより構成され、一対の鉛直ロッド１５a、１５a間に鉛直なガイド溝１５bが形成されている。
【００１９】
軸棒２は、ドラム２００の軸孔２０１よりも小さくかつガイド溝１５bよりも大きな外径を有する。軸棒２の少なくとも一方の端面２１にはねじ孔２２が形成されている。
【００２０】
抜止めスクリュー３は、軸棒２のねじ孔２２に装着及び離脱可能なねじであり、ねじ部３１は一対の鉛直ロッド１５a、１５a間のガイド溝１５bよりも小さな外径を有すると共に頭部３２はガイド溝１５bよりも大きな外径を有している。
【００２１】
次に、上記のように構成されるドラム架台１００の使用方法の一例を説明する。
【００２２】
架台本体１を転動可能な起立状態のドラム２００まで接近移動させ、ドラム２００を跨ぐように門型フレーム１１を配置する。手動ハンドル１３aを操作し、門型吊上げ部材１４のいずれかの支持孔１４cがドラム２００の軸孔２０１の延長線上に位置するように門型吊上げ部材１４の高さ位置を調整する。架台本体１の一方の側部側から、軸棒２の先端部を一方のガイド溝１５b、門型吊上げ部材１４の一方の垂直バー部１４bの支持孔１４c、ドラム２００の軸孔２０１、門型吊上げ部材１４の他方の垂直バー部１４bの支持孔１４c、他方のガイド溝１５bに順に挿通し、軸棒２のねじ孔２２に抜止めスクリュー３をねじ込む。次に、手動ハンドル１３aを操作し、ジャッキ１３を介して門型吊上げ部材１４を上昇させ、ドラム２００を床面から吊上げる。このドラム２００の吊上げ時、軸棒２は、一対のガイド溝１５bに案内されながら上昇する。その後、架台本体１を所定の作業場所まで移動させる。作業場所において、ドラム２００から巻線例えば電線２０２を引き出すとき、ドラム２００が回転し、軸棒２に軸方向への力が作用する場合があるが、図３に示すように、軸棒２のねじ孔２２側の端面２１と抜止めスクリュー３の頭部３２側との間に形成される凹部４に鉛直ロッド１５aのガイド溝１５b側の一部が侵入した状態にあるため、軸棒２が支持孔１４cから抜け落ちることを防止できる。
【００２３】
以上説明したように、本実施形態のドラム架台１００は、軸孔２０１を有するドラム２００を吊上げるドラム架台１００において、架台本体１であって、転動可能な起立状態のドラム２００を跨ぐように配置可能な門型フレーム１１と、門型フレーム１１の下端部に設けられたキャスター１２と、門型フレーム１１の上部に設置され、手動ハンドル１３aを備えるジャッキ１３と、昇降可能に門型フレーム１１に配設され、ジャッキ１３により昇降駆動される門型吊上げ部材１４とを有する架台本体１を備えるとともに、ドラム２００の軸孔２０１に挿通可能な軸棒２であって、軸棒２の両端部が門型吊上げ部材１４の両側部に設けられた支持孔１４cに挿通可能な軸棒２を備える。
【００２４】
本実施形態によると、重量物であるドラム２００を横に寝かせる作業、起立させる作業などが不要となるため、労力の軽減及び危険性の減少を図ることができる。また、構成が簡素であり、コストの低減を図ることができる。
【００２５】
ここで、支持孔１４cは、上下方向に複数個設けられているため、ドラム２００の軸孔２０１の延長線上に支持孔１４cを位置合せする作業が容易になる。
【００２６】
また、門型フレーム１１の両側部に、それぞれ門型吊上げ部材１４の昇降動作を案内するガイド部材１５が設けられているため、門型吊上げ部材１４の昇降動作の安定化を図ることができる。
【００２７】
また、各々のガイド部材１５は、一対の鉛直ロッド１５a、１５aであり、一対の鉛直ロッド１５a、１５aにより鉛直方向のガイド溝１５bが形成され、門型吊上げ部材１４の水平方向への移動が規制される。この門型吊上げ部材１４の水平方向への移動が規制されることにより、門型吊上げ部材１４を安定して昇降動作させることができる。
【００２８】
また、軸棒２の一方の端面２１に形成されたねじ孔２２にねじ込まれる抜止めスクリュー３を備え、ねじ孔２２に抜止めスクリュー３をねじ込んだとき、軸棒２の一方の端面２１と抜止めスクリュー３の頭部３２側との間に凹部４が形成され、凹部４に鉛直ロッド１５a、１５aのガイド溝１５b側の一部が侵入した状態となり、軸棒２の軸方向への移動が規制される。この軸棒２の軸方向への移動が規制されることにより、門型吊上げ部材１４を安定して昇降動作させることができる。
【図面の簡単な説明】
【００２９】
【図１】本発明の一実施形態に係るドラム架台の斜視図である。
【図２】同ドラム架台のジャッキ周辺の垂直断面図である。
【図３】同ドラム架台の軸棒付近の水平断面図である。
【図４】同ドラム架台の使用方法を説明するための斜視図である。
【図５】同ドラム架台の使用時の正面図である。
【図６】同ドラム架台の使用時の側面図である。
【符号の説明】
【００３０】
１００    ドラム架台
１    架台本体
２    軸棒
３    抜止めスクリュー
４    凹部
１１    門型フレーム
１２    キャスター
１３    ジャッキ
１３a    手動ハンドル
１４    門型吊上げ部材
１４c    支持孔
１５    ガイド部材
１５a    鉛直ロッド
１５b    ガイド溝
２１    端面
２２    ねじ孔
３２    頭部
２００    ドラム
２０１    軸孔
【図１】
2008120580.tif 000003
【図２】
2008120580.tif 000004
【図３】
2008120580.tif 000005
【図４】
2008120580.tif 000006
【図５】
2008120580.tif 000007
【図６】
2008120580.tif 000008